【事件の表示】
　特願２０１８−２０１４３３号「遊技機」拒絶査定不服審判事件〔平成３１年　１月２４日出願公開、特開２０１９−　１０５８０号〕について、次のとおり審決する。
【結　論】
　本件審判の請求は、成り立たない。
【理　由】
第１　手続の経緯の概要
　本願は、平成２５年１０月１８日に出願した特願２０１３−２１６８９６号の一部を平成３０年１０月２６日に新たな特許出願（特願２０１８−２０１４３３号）としたものであって、平成３１年２月２１日に手続補正書が提出されたところ、令和１年５月２８日付けで拒絶の理由が通知され、同年７月１０日に意見書及び手続補正書が提出されたところ、同年８月２３日付け（送達日：同年９月３日）で拒絶査定（以下「原査定」という。）がなされ、それに対して、同年１１月２９日に拒絶査定不服審判の請求がなされると同時に手続補正書が提出されたものである。
　
第２　令和１年１１月２９日にされた手続補正についての補正の却下の決定
［補正の却下の決定の結論］
　令和１年１１月２９日にされた手続補正（以下「本件補正」という。）を却下する。
　
［理由］
１　補正の内容
　本件補正により、令和１年７月１０日付け手続補正書の特許請求の範囲の請求項１における、
　「【請求項１】
　可変表示を行い、遊技者にとって有利な有利状態に制御可能な遊技機であって、
　可変表示に関する情報を保留記憶として記憶可能な保留記憶手段と、
　前記保留記憶に対応した保留表示を表示する保留表示手段と、
　前記有利状態に制御するかを決定する決定手段と、
　前記決定手段の決定前に、前記有利状態となるかを判定する判定手段と、を備え、
　前記保留表示の表示態様は、通常態様と、該通常態様とは異なる態様である特殊態様と、前記通常態様および前記特殊態様とは異なる態様である特別態様とを含み、
　前記判定手段の判定結果に応じて、判定対象となった前記保留記憶に対応した前記保留表示を前記特別態様で表示する保留予告演出を実行可能な演出実行手段と、
　前記保留表示の表示態様が変化するかを示唆する示唆演出を実行する示唆演出実行手段と、をさらに備え、
　前記示唆演出の実行パターンとして、前記示唆演出を実行してから前記保留表示の表示態様を変化させる第１パターンと、前記示唆演出を実行してから前記保留表示の表示態様を変化させない第２パターンとを含み、
　前記示唆演出実行手段は、
　複数種類の演出態様で前記示唆演出を実行可能であり、
　前記保留表示が前記特殊態様で表示されているときは、前記保留表示が前記特殊態様で表示されていないときよりも高い頻度で前記第２パターンによる示唆演出を実行し、
　前記第１パターンによる示唆演出の実行割合は、前記示唆演出の演出態様が特定演出態様であるときと、該特定演出態様でないときとで、異なる
　ことを特徴とする遊技機。」は、
　令和１年１１月２９日付け手続補正書の特許請求の範囲の請求項１における、
　「【請求項１】
　可変表示を行い、遊技者にとって有利な有利状態に制御可能な遊技機であって、
　可変表示に関する情報を保留記憶として記憶可能な保留記憶手段と、
　
保
　前記有利状態に制御するかを決定する決定手段と、
　前記決定手段の決定前に、前記有利状態となるかを判定する判定手段と、を備え、
　
保
と異
と異
、
　
前記特別態様は、第１特別態様と、該第１特別態様よりも前記有利状態に制御される期待度が高い第２特別態様と、を含み、
　前記判定手段の判定結果に応じて、判定対象となっ
た保
た保
　
保
、
　
を備
　前記示唆演出の実行パターンとして、前記示唆演出を実行してか
ら保
ら保
、
　前記示唆演出実行手段は、
　複数種類の演出態様で前記示唆演出を実行可能であり、
　
保
き、保
　前記第１パターンによる示唆演出の実行割合は、前記示唆演出の演出態様が特定演出態様であるときと、該特定演出態様でないときとで、異な
り、
　
前記保留表示手段は、
　
前記特殊態様の保留表示を表示しているとき、新たな保留表示を前記特殊態様で表示せず、
　
前記第２特別態様の保留表示を表示しているとき、新たな保留表示を前記第２特別態様で表示しない、
　ことを特徴とする遊技機。」に補正された（下線は、補正箇所を明示するために当審判合議体にて付した。）。
　
２　補正の適否
２−１　補正の目的及び新規事項について
（１）補正事項
　本件補正後の請求項１に係る上記補正は、以下に挙げる補正事項を含むものである。
　ア　本件補正前の請求項１に係る発明を特定するために必要な事項である「特別態様」に関して、「前記特別態様は、第１特別態様と、該第１特別態様よりも前記有利状態に制御される期待度が高い第２特別態様と、を含」むという記載を追加する補正。
　イ　本件補正前の請求項１に係る発明を特定するために必要な事項である「保留表示手段」に関して、「前記保留表示手段は、前記特殊態様の保留表示を表示しているとき、新たな保留表示を前記特殊態様で表示せず、前記第２特別態様の保留表示を表示しているとき、新たな保留表示を前記第２特別態様で表示しない」という記載を追加する補正。
（２）本件補正の目的及び根拠
　ア　本件補正後の請求項１に係る上記（１）アの補正は、願書に最初に添付された特許請求の範囲、明細書及び図面（以下「当初明細書等」という。）の【０２４３】、【０２５９】及び図２９等の記載に基づいて、本件補正前の請求項１において記載されていた「特別態様」に関して、「前記特別態様は、第１特別態様と、該第１特別態様よりも前記有利状態に制御される期待度が高い第２特別態様と、を含む」と限定するものである。
　イ　本件補正後の請求項１に係る上記（１）イの補正は、当初明細書等の【０２９４】及び【０２９５】等の記載に基づいて、本件補正前の請求項１において記載されていた「保留表示手段」に関して、「前記保留表示手段は、前記特殊態様の保留表示を表示しているとき、新たな保留表示を前記特殊態様で表示せず、前記第２特別態様の保留表示を表示しているとき、新たな保留表示を前記第２特別態様で表示しない」と限定するものである。
　以上のとおり、本件補正後の請求項１に係る上記（１）ア及びイの補正は、新規事項を追加するものではないから、特許法第１７条の２第３項に規定する要件を満たす。
　また、本件補正後の請求項１に係る上記（１）ア及びイの補正は、本件補正前の請求項１に係る発明を特定するために必要な事項を限定するものであって、産業上の利用分野及び解決しようとする課題が補正の前後において同一であるから、それぞれ特許法第１７条の２第５項第２号に掲げる特許請求の範囲の減縮を目的とするものである。
　
２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
（１）本件補正発明
　本件補正発明は、次のとおりのものであると認める（記号Ａ〜Ｐは、分説するため当審判合議体にて付した。）。
　「Ａ　可変表示を行い、遊技者にとって有利な有利状態に制御可能な遊技機であって、
Ｂ　可変表示に関する情報を保留記憶として記憶可能な保留記憶手段と、
Ｃ　保留記憶に対応した保留表示を表示する保留表示手段と、
Ｄ　前記有利状態に制御するかを決定する決定手段と、
Ｅ　前記決定手段の決定前に、前記有利状態となるかを判定する判定手段と、を備え、
Ｆ　保留表示の表示態様は、通常態様と、該通常態様と異なる態様である特殊態様と、前記通常態様および前記特殊態様と異なる態様である特別態様と、を含み、
Ｇ　前記特別態様は、第１特別態様と、該第１特別態様よりも前記有利状態に制御される期待度が高い第２特別態様と、を含み、
Ｈ　前記判定手段の判定結果に応じて、判定対象となった保留記憶に対応した保留表示を前記特別態様で表示する保留予告演出を実行可能な演出実行手段と、
Ｉ　保留表示の表示態様が変化するかを示唆する示唆演出を実行する示唆演出実行手段と、
　　を備え、
Ｊ　前記示唆演出の実行パターンとして、前記示唆演出を実行してから保留表示の表示態様を変化させる第１パターンと、前記示唆演出を実行してから保留表示の表示態様を変化させない第２パターンと、を含み、
Ｋ　前記示唆演出実行手段は、
　　複数種類の演出態様で前記示唆演出を実行可能であり、
Ｌ　保留表示が前記特殊態様で表示されているとき、保留表示が前記特殊態様で表示されていないときよりも高い頻度で前記第２パターンによる示唆演出を実行し、
Ｍ　前記第１パターンによる示唆演出の実行割合は、前記示唆演出の演出態様が特定演出態様であるときと、該特定演出態様でないときとで、異なり、
Ｎ　前記保留表示手段は、
　　前記特殊態様の保留表示を表示しているとき、新たな保留表示を前記特殊態様で表示せず、
Ｏ　前記第２特別態様の保留表示を表示しているとき、新たな保留表示を前記第２特別態様で表示しない、
Ｐ　ことを特徴とする遊技機。」
　
（２）引用文献１
　原査定において引用文献１として引用された、本願の出願前に頒布された又は電気通信回線を通じて公衆に利用可能となった特開２０１３−１１６３１７号公報には、図面とともに以下の事項が記載されている（下線は当審判合議体にて付した。以下同じ。）。
ア　記載事項
（１−ａ）「【００８４】
　第一実施形態の
パチンコ機５０
大当り抽選の際には、特図表示装置９にて特別図柄の変動表示が行われ
【００８５】
　また、パチンコ機５０では、
第１，第２始動口１１，１２への入賞により抽出された乱数
保留記憶として記憶
大当り抽選で当たると、
大当り遊技が行われる。
（１−ｂ）「【００８７】
　また、パチンコ機５０では、保留図柄として複数の種類が設けられており、各種類の保留図柄は、対応する保留記憶が消化される直前に表示された場合における、該保留記憶により大当りとなる確率である信頼度が異なっている。そして、各種類の保留図柄を表示することで、対応する保留記憶により大当りとなる可能性の有無や、該可能性の大きさを示唆する保留予告演出が行われる。また、この保留予告演出の一つとして、
一旦表示された保留図柄（一時図柄）を、他の種類の保留図柄（最終図柄）に変化させる変化演出が行われる。
【００８８】
　さらに、
変化演出が行われる際には、一時図柄の種類が変化することを示唆する段階演出が行われると共に、変化演出が行われないいずれかの保留図柄に対しても、擬似的な段階演出が行われる。
（１−ｃ）「【００９８】
　Ｓ１００では、
主制御装置８０は、第１，第２始動口ＳＷ１１ａ，１２ａの検出信号に基づき、第１，第２始動口１１，１２への遊技球の入賞が発生したかを判定する。
肯定判定の場合は
【００９９】
　Ｓ１０５では、主制御装置８０は、保留記憶の数が上限値（一例として４）か否かを判定する。そして、否定判定の場合は（Ｓ１０５：Ｎｏ）、Ｓ１１０に処理を移行し、肯定判定の場合は（Ｓ１０５：Ｙｅｓ）、本処理を終了する。
【０１００】
　Ｓ１１０では、
主制御装置８０は、大当り抽選に用いられる大当り決定用乱数
等を抽出し、これらの乱数を保留記憶として記憶する。
消化されていない保留記憶の数を示す保留数コマンドを、サブ統合制御装置８３に送信し
（１−ｄ）「【０１０１】
　Ｓ１１５では、主制御装置８０は、新たに発生した保留記憶に対応する大当り決定用乱数等の値について判定する先読み判定処理を実行し、本処理を終了する。
　（３）先読み判定処理について
　次に、
新たに発生した保留記憶に対応する大当り決定用乱数等の値について判定する先読み判定処理について、
【０１０２】
　Ｓ１５０では、
主制御装置８０は、新たに発生した保留記憶に係る大当り決定用乱数の値が特定値（大当り抽選で当りとなる値）か否かを判定し
（１−ｅ）「【０１１３】
　続いて図９に関して、Ｓ２１５では、
主制御装置８０は、保留記憶の有無について判定し、肯定判定の場合には
【０１１４】
　Ｓ２２０では、主制御装置８０は、保留記憶の数をデクリメントすると共に、
最も古い保留記憶を選択し
【０１１５】
　Ｓ２２５では、主制御装置８０は、確変モードであることを示す確変フラグが１か否かを判定し、肯定判定の場合には（Ｓ２２５：Ｙｅｓ）、Ｓ２３０に処理を移行すると共に、否定判定の場合には（Ｓ２２５：Ｎｏ）、Ｓ２３５に処理を移行する。
【０１１６】
　Ｓ２３０では、主制御装置８０は、
選択された保留記憶に係る大当り判定用乱数と、確変モードに対応する当否判定用テーブル（確変テーブル）に基づき、大当り抽選を実行し、該抽選に当るか否かを判定し、該保留記憶を消化する。
【０１１７】
　一方、Ｓ２３５では、主制御装置８０は、
選択された保留記憶に係る大当り判定用乱数と、通常モードに対応する当否判定用テーブル（通常テーブル）に基づき、大当り抽選を実行し、該抽選に当るか否かを判定し、該保留記憶を消化する。
（１−ｆ）「【０１５０】
　（６）保留表示処理について
　次に、保留記憶が生成された際に、該
保留記憶に対応する保留図柄を演出図柄表示装置６に表示する
本処理は、サブ統合制御装置８３にて
実行される
【０１５１】
　Ｓ６００では、
サブ統合制御装置８３は、主制御装置８０から先読みコマンドを受信
【０１５２】
　Ｓ６０５では、
サブ統合制御装置８３は
該先読みコマンドの種類に応じた確率で
保留図柄（通常保留図柄，特別保留図柄１〜３）の中から新たな保留記憶に対応して表示する保留図柄の種類を選択し
（１−ｇ）「【０１５５】
　Ｓ６２０では、
サブ統合制御装置８３は、新たな保留記憶に対応して演出図柄表示装置６に一時図柄を表示し
　Ｓ６２５では、サブ統合制御装置８３は、
抽選により、いずれかの先行保留記憶の消化時期を、一時図柄を最終図柄に変化させるタイミング
として選択し
【０１５６】
　一方、変化演出が行われない場合に移行するＳ６３０では、サブ統合制御装置８３は、
新たな保留記憶に対応して演出図柄表示装置６に最終図柄を表示し
（１−ｈ）「【０１６０】
　（７）保留表示更新処理について
　次に、保留記憶が消化された際に、演出図柄表示装置６に表示されている保留図柄の表示位置を更新すると共に、変化演出や
段階演出を行う保留表示更新処理
本処理は、サブ統合制御装置８３にて
実行される
（１−ｉ）「【０１７０】
　Ｓ７５０では、サブ統合制御装置８３は、演出図柄表示装置６にて選択された態様の擬似的な段階演出を行い、本処理を終了する。
　（８）変化演出や段階演出について
　第一実施形態では、
図１７（ａ）に記載の表の「出現率」が示す確率で大当り抽選に当選する。また、擬似演出では、該表の「出現率」が示す確率で、ＳＰリーチ（スーパーリーチ）や、リーチ（ノーマルリーチ）や、ハズレ（スーパーリーチやノーマルリーチとなること無く大当り抽選で外れること）が発生する。
【０１７１】
　
また、保留図柄の種類として、図１７（ｂ）の表に記載の通常保留図柄と、特別保留図柄１〜３が設けられている。
（１−ｊ）「【０１７６】
　（ｂ）２個目以降の保留記憶が生じた場合について
　次に、２個目以降の保留記憶が生じた場合について説明する。
　
図１８には、２個目以降の保留記憶が生じた場合に、該保留記憶に対応して行われる変化演出や段階演出等のパターン（演出パターン）を示す表が記載されている。
【０１７７】
　該表における「一時→最終」という項目は、該保留記憶に対応して行われる演出パターンを示している。具体的には、該項目に対応する欄のうち、
異なる種類の保留図柄が二つ並んで記載されている欄は、変化演出が行われることを示しており、該欄の左側には一時図柄が、右側には最終図柄が記載されている。
【０１７８】
　一方、
同一種類の保留図柄が二つ並んで記載されている欄は、２個目以降の保留記憶に対応して該欄に記載された保留図柄が表示され、変化演出が行われることなく、該保留記憶が消化されるまで該保留図柄が表示されることを示している。
【０１７９】
　また、該欄における
二つの保留図柄の間に記載された二重線の矢印は、変化演出に伴う段階演出や、変化演出が行われない場合の擬似的な段階演出が行われることを示し、これらの保留図柄の間に記載された単一線の矢印は、段階演出が行われないことを示している。
【０１８０】
　なお、変化演出において、最終図柄の信頼度が一時図柄の信頼度よりも低いことを降格と記載し、最終図柄の信頼度が一時図柄の信頼度よりも高いことを昇格と記載する。また、第一実施形態では、変化演出が行われる際には必ず段階演出が行われる。
【０１８１】
　また、
該表の「出現率」は、２個目以降の保留記憶により「ハズレ」，「リーチ」，「ＳＰリーチ」，「大当り」となる各場合において、該保留記憶に対応して各演出パターンが行われる確率を示している。
　・・・
【０１８３】
　なお、該表における“１〜４”，“５〜９”，“１０〜１４”，“１５〜１９”の各演出パターンに対応する「信頼度」は、保留記憶の消化直前に表示されている保留図柄の種類に応じて、凡その
大当りの信頼度
各種類の保留図柄が消化直前に表示された場合には、通常保留図柄，特別保留図柄１，特別保留図柄２，特別保留図柄３の順位で信頼度が高く
（１−ｋ）「【０１９５】
　なお、既に述べたように、
変化演出が行われる際には、一時図柄が最終図柄に変化する直前（変化演出の実行直前）に、段階演出が行われる。また、段階演出の態様として、段階演出Ａ〜Ｄの四種類が設けられ
【０１９６】
　
図２０に記載の表は、段階演出Ａ〜Ｄの発生確率を示している。
該表における「出現率」における「維持」は、変化演出が行われない場合を意味する。
「１段昇格」，「２段昇格」は、昇格となる変化演出において、保留図柄の信頼度の順位が、それぞれ、１段階或いは２段階上昇する変化パターンを示し、「１段降格」，「２段降格」は、降格となる変化演出において、保留図柄の信頼度の順位が、それぞれ、１段階或いは２段階低下する変化パターンを示している。
【０１９７】
　そして、
該表における「１段昇格」，「２段昇格」，「維持」，「１段降格」，「２段降格」に対応する欄は、対応する変化パターンが生じた場合や、変化演出が行われなかった場合に、各段階演出が行われる確率を示している。
「維持」の場合に行われる段階演出とは、上述した擬似的な段階演出である
（１−ｌ）「【０２１０】
　また、
これらの具体例では、一つの保留記憶に対応して変化演出や段階演出が行われるという場合を例示した
　イ　認定事項
（１−ｍ）認定事項
図１７（ａ）
　段落【０１７０】の記載「
図１７（ａ）に記載の表の「出現率」が示す確率で大当り抽選に当選する。また、擬似演出では、該表の「出現率」が示す確率で、ＳＰリーチ（スーパーリーチ）や、リーチ（ノーマルリーチ）や、ハズレ（スーパーリーチやノーマルリーチとなること無く大当り抽選で外れること）が発生する。
（１−ｎ）認定事項
図１７（ｂ）
図１８
　段落【０１７１】の記載「
保留図柄の種類として、図１７（ｂ）の表に記載の通常保留図柄と、特別保留図柄１〜３が設けられている。
図１８には、２個目以降の保留記憶が生じた場合に、該保留記憶に対応して行われる変化演出や段階演出等のパターン（演出パターン）を示す表が記載されている。
異なる種類の保留図柄が二つ並んで記載されている欄は、変化演出が行われることを示しており、該欄の左側には一時図柄が、右側には最終図柄が記載されている。
同一種類の保留図柄が二つ並んで記載されている欄は、２個目以降の保留記憶に対応して該欄に記載された保留図柄が表示され、変化演出が行われることなく、該保留記憶が消化されるまで該保留図柄が表示されることを示している。
二つの保留図柄の間に記載された二重線の矢印は、変化演出に伴う段階演出や、変化演出が行われない場合の擬似的な段階演出が行われることを示し、これらの保留図柄の間に記載された単一線の矢印は、段階演出が行われないことを示している。
該表の「出現率」は、２個目以降の保留記憶により「ハズレ」，「リーチ」，「ＳＰリーチ」，「大当り」となる各場合において、該保留記憶に対応して各演出パターンが行われる確率を示している。
　保留表示の一時図柄が「特別保留図柄１」であって、変化演出が行われず、「段階演出無」である演出パターン６の出現率は、大当り抽選の当否結果が「リーチ」の場合、１２／２００であり、「ＳＰリーチ」の場合、８／２００であり、「大当り」の場合、４／２００であり、
　保留表示の一時図柄が「特別保留図柄１」であって、変化演出が行われず、「段階演出有」である演出パターン７の出現率は、大当り抽選の当否結果が「リーチ」の場合、８／２００であり、「ＳＰリーチ」の場合、４／２００であり、「大当り」の場合、４／２００であり、
　保留表示の一時図柄が「通常保留図柄」であって、変化演出が行われず、「段階演出無」である演出パターン１の出現率は、大当り抽選の当否結果が「ハズレ」の場合、１９０／２００であり、「リーチ」の場合、１３０／２００であり、「ＳＰリーチ」の場合、１２０／２００であり、「大当り」の場合、１００／２００であり、
　保留表示の一時図柄が「特別保留図柄２」であって、変化演出が行われず、「段階演出無」である演出パターン１２の出現率は、大当り抽選の当否結果が「ＳＰリーチ」の場合、１４／２００であり、「大当り」の場合、１０／２００であり、
　保留表示の一時図柄が「特別保留図柄２」であって、変化演出が行われず、「段階演出有」である演出パターン１３の出現率は、大当り抽選の当否結果が「ＳＰリーチ」の場合、６／２００であり、「大当り」の場合、１０／２００であり、
　保留表示の一時図柄が「特別保留図柄３」であって、変化演出が行われず、「段階演出無」である演出パターン１８の出現率は、大当り抽選の当否結果が「大当り」の場合、５／２００であり、
　保留表示の一時図柄が「特別保留図柄３」であって、変化演出が行われず、「段階演出有」である演出パターン１９の出現率は、大当り抽選の当否結果が「大当り」の場合、４／２００、
　であることが開示されていると認められる。
（１−ｏ）認定事項
図２０
　段落【０１９６】の「図２０に記載の表は、段階演出Ａ〜Ｄの発生確率を示している。・・・また、該表における「出現率」における「維持」は、変化演出が行われない場合を意味する。また、「１段昇格」，「２段昇格」は、昇格となる変化演出において、保留図柄の信頼度の順位が、それぞれ、１段階或いは２段階上昇する変化パターンを示し、「１段降格」，「２段降格」は、降格となる変化演出において、保留図柄の信頼度の順位が、それぞれ、１段階或いは２段階低下する変化パターンを示している。」との記載、及び図２０の開示内容を参酌すれば、「１段昇格」、「２段昇格」、「１段降格」及び「２段降格」は変化演出が行われる場合であり、「維持」は変化演出が行われない場合であって、
　段階演出Ａで、「１段昇格」、「２段昇格」、「１段降格」及び「２段降格」の変化演出が行われる出現率は、それぞれ「１／１０」、「１／１０」、「５／１０」及び「１／１０」であり、変化演出が行われない「維持」の出現率は、「２／１０」であり、
　段階演出Ｂで、「１段昇格」、「２段昇格」、「１段降格」及び「２段降格」の変化演出が行われる出現率は、それぞれ「２／１０」、「１／１０」、「２／１０」及び「７／１０」であり、変化演出が行われない「維持」の出現率は、「８／１０」であり、
　段階演出Ｃで、「１段降格」及び「２段降格」の変化演出が行われる出現率は、それぞれ「３／１０」及び「２／１０」であり、
　段階演出Ｄで、「１段昇格」及び「２段昇格」の変化演出が行われる出現率は、それぞれ「７／１０」及び「８／１０」である点が開示されていると認められる。
　上記（１−ａ）〜（１−ｌ）の記載事項、及び上記（１−ｍ）〜（１−ｏ）の認定事項を総合すれば、引用文献１には、以下の発明（以下、「引用発明」という。）が記載されていると認められる。
「ａ　特別図柄の変動表示が行われ、大当り抽選で当たると、大当り遊技が行われるパチンコ機５０であって（【００８４】、【００８５】）、
ｂ　第１，第２始動口ＳＷ１１ａ，１２ａの検出信号に基づき、第１，第２始動口１１，１２への遊技球の入賞が発生したかを判定し、肯定判定の場合は、大当り抽選に用いられる大当り決定用乱数等を保留記憶として記憶し、消化されていない保留記憶の数を示す保留数コマンドをサブ統合制御装置８３に送信する主制御装置８０と（【００９８】−【０１００】）、
ｃ　各保留記憶に対応する保留図柄を表示する演出図柄表示装置６と（【０１５０】）、
ｄ　保留記憶の有無について判定し、肯定判定の場合には最も古い保留記憶を選択し、選択された保留記憶に係る大当り判定用乱数と確変テーブル又は通常テーブルに基づき、大当り抽選を実行し、該抽選に当るか否かを判定し、該保留記憶を消化する主制御装置８０と（【０１１３】、【０１１４】、【０１１６】、【０１１７】）、
ｅ　新たに発生した保留記憶に係る大当り決定用乱数の値が大当り抽選で当りとなる値である特定値か否かを判定する先読み判定処理を行う主制御装置８０と（【０１０１】、【０１０２】）、
ｆ　保留図柄の種類として、通常保留図柄、特別保留図柄１、特別保留図柄２及び特別保留図柄３が設けられ（【０１７１】、図１７（ｂ））、
ｇ　特別保留図柄２、特別保留図柄３の順位で大当り信頼度が高くなり（【０１８３】）、
ｈ　主制御装置８０から受信した先読みコマンドの種類に応じた確率で、保留図柄（通常保留図柄，特別保留図柄１〜３）の中から新たな保留記憶に対応して表示する保留図柄の種類を選択し、該保留図柄を演出図柄表示装置６に表示するサブ統合制御装置８３と（【０１５０】−【０１５２】、【０１５５】）、
ｉ　一旦表示された保留図柄（一時図柄）を、他の種類の保留図柄（最終図柄）に変化させる変化演出が行われる際には、一時図柄の種類が変化することを示唆する段階演出を行う保留表示更新処理を実行するサブ統合制御装置８３と（【００８７】、【００８８】、【０１５６】、【０１６０】）
を備え、
ｊ　変化演出が行われる際には、一時図柄の種類が変化することを示唆する段階演出が行われると共に、変化演出が行われないいずれかの保留図柄に対しても、擬似的な段階演出が行われ（【００８８】）、
ｋ　段階演出の態様として、段階演出Ａ〜Ｄの四種類が設けられており（【０１９５】）、
ｌ　大当り抽選の当否結果が「ハズレ」の出現率は２７９／３００であり、「リーチ」の出現率は１５／３００であり、「ＳＰリーチ」の出現率は５／３００であり、「大当り」の出現率は１／３００であり（認定事項（１−ｍ））、
　保留表示の一時図柄が「特別保留図柄１」であって、変化演出が行われず、「段階演出無」である演出パターン６の出現率は、大当り抽選の当否結果が「リーチ」の場合、１２／２００であり、「ＳＰリーチ」の場合、８／２００であり、「大当り」の場合、４／２００であり、
　保留表示の一時図柄が「特別保留図柄１」であって、変化演出が行われず、「段階演出有」である演出パターン７の出現率は、大当り抽選の当否結果が「リーチ」の場合、８／２００であり、「ＳＰリーチ」の場合、４／２００であり、「大当り」の場合、４／２００であり、
　保留表示の一時図柄が「通常保留図柄」であって、変化演出が行われず、「段階演出無」である演出パターン１の出現率は、大当り抽選の当否結果が「ハズレ」の場合、１９０／２００であり、「リーチ」の場合、１３０／２００であり、「ＳＰリーチ」の場合、１２０／２００であり、「大当り」の場合、１００／２００であり、
　保留表示の一時図柄が「特別保留図柄２」であって、変化演出が行われず、「段階演出無」である演出パターン１２の出現率は、大当り抽選の当否結果が「ＳＰリーチ」の場合、１４／２００であり、「大当り」の場合、１０／２００であり、
　保留表示の一時図柄が「特別保留図柄２」であって、変化演出が行われず、「段階演出有」である演出パターン１３の出現率は、大当り抽選の当否結果が「ＳＰリーチ」の場合、６／２００であり、「大当り」の場合、１０／２００であり、
　保留表示の一時図柄が「特別保留図柄３」であって、変化演出が行われず、「段階演出無」である演出パターン１８の出現率は、大当り抽選の当否結果が「大当り」の場合、５／２００であり、
　保留表示の一時図柄が「特別保留図柄３」であって、変化演出が行われず、「段階演出有」である演出パターン１９の出現率は、大当り抽選の当否結果が「大当り」の場合、４／２００であり（認定事項（１−ｎ））、
ｍ　段階演出Ａで、「１段昇格」、「２段昇格」、「１段降格」及び「２段降格」の変化演出が行われる出現率は、それぞれ「１／１０」、「１／１０」、「５／１０」及び「１／１０」であり、変化演出が行われない「維持」の出現率は、「２／１０」であり、
　段階演出Ｂで、「１段昇格」、「２段昇格」、「１段降格」及び「２段降格」の変化演出が行われる出現率は、それぞれ「２／１０」、「１／１０」、「２／１０」及び「７／１０」であり、変化演出が行われない「維持」の出現率は、「８／１０」であり、
　段階演出Ｃで、「１段降格」及び「２段降格」の変化演出が行われる出現率は、それぞれ「３／１０」及び「２／１０」であり、
　段階演出Ｄで、「１段昇格」及び「２段昇格」の変化演出が行われる出現率は、それぞれ「７／１０」及び「８／１０」である（認定事項（１−ｏ））、
ｐ　パチンコ機５０（【００８４】）。」
（３）対比
　本件補正発明と引用発明とを対比する（見出し（ａ）〜（ｐ）は、本件補正発明の特定事項Ａ〜Ｐに対応する。また、下線は当審で付した。）。
（ａ）引用発明の構成ａにおける「特別図柄の変動表示」、「大当り遊技」、「パチンコ機５０」は、それぞれ、本件補正発明の構成Ａの「可変表示」、「遊技者にとって有利な有利状態」、「遊技機」に相当する。
　してみると、引用発明の構成ａは、本件補正発明の構成Ａに相当する。
（ｂ）引用発明の構成ｂにおける「保留記憶として記憶」される「大当り抽選に用いられる大当り決定用乱数」は、本件補正発明の構成Ｂの「可変表示に関する情報」に相当する。
　また、引用発明の構成ｂにおいて、「大当り抽選に用いられる大当り決定用乱数」（本件補正発明の「可変表示に関する情報」に相当。）が「主制御装置８０」に「保留記憶として記憶」されることから、引用発明の構成ｂにおける「主制御装置８０」は、本件補正発明の構成Ｂの「保留記憶手段」に相当する。
　してみると、引用発明の構成ｂは、本件補正発明の構成Ｂに相当する。
（ｃ）引用発明の構成ｃにおける「各保留記憶」、「保留図柄」、「演出図柄表示装置６」は、それぞれ、本件補正発明の構成Ｃの「保留記憶」、「保留表示」、「保留表示手段」に相当する。
　してみると、引用発明の構成ｃは、本件補正発明の構成Ｃに相当する。
（ｄ）引用発明の構成ｄにおける「保留記憶の有無について判定し、肯定判定の場合には最も古い保留記憶を選択し、選択された保留記憶に係る大当り判定用乱数と確変テーブル又は通常テーブルに基づき、大当り抽選を実行し、該抽選に当るか否かを判定」すること、「主制御装置８０」は、それぞれ、本件補正発明の構成Ｄの「有利状態に制御するかを決定する」こと、「決定手段」に相当する。
　してみると、引用発明の構成ｄは、本件補正発明の構成Ｄに相当する。
（ｅ）引用発明の構成ｅにおける「新たに発生した保留記憶に係る大当り決定用乱数の値が大当り抽選で当りとなる値である特定値か否かを判定する先読み判定処理」、「主制御装置８０」は、それぞれ、本件補正発明の構成Ｅの「有利状態となるかを判定する」こと、「判定手段」に相当する。
　また、引用発明の構成ｅにおける「先読み判定処理」は、「保留記憶」が「新たに発生した」場合に「行う」のに対し、引用発明の構成ｄにおける「保留記憶を消化する」ことは、「最も古い保留記憶を選択し」て行うのであるから、引用発明の構成ｅにおける「先読み判定処理」は、引用発明の構成ｄにおける「保留記憶を消化する」ことよりも前、すなわち、本件補正発明の構成Ｅの「決定手段の決定前」に行われることは明らかである。
　してみると、引用発明の構成ｅは、本件補正発明の構成Ｅに相当する。
（ｆ）引用発明の構成ｆにおける「保留図柄の種類」、「通常保留図柄」、「特別保留図柄１」、「特別保留図柄２及び特別保留図柄３」は、それぞれ、本件補正発明の構成Ｆの「保留表示の表示態様」、「通常態様」、「該通常態様と異なる態様である特殊態様」、「前記通常態様および前記特殊態様と異なる態様である特別態様」に相当する。
　してみると、引用発明の構成ｆは、本件補正発明の構成Ｆに相当する。
（ｇ）引用発明の「特別保留図柄２及び特別保留図柄３」は、本件補正発明の「特別態様」に相当することは、上記（ｆ）にて説示したとおりである。
　また、引用発明の構成ｇにおける「特別保留図柄２」、「特別保留図柄３」、「大当り信頼度」は、それぞれ、本件補正発明の構成Ｇの「第１特別態様」、「第２特別態様」、「有利状態に制御される期待度」に相当する。
　してみると、引用発明の構成ｇは、本件補正発明の構成Ｇに相当する。
（ｈ）引用発明の構成ｈにおける「保留図柄」が「主制御装置８０」から受信した「先読みコマンドの種類に応じた確率で」「選択」され「表示」されることは、本件補正発明の構成Ｈの「保留表示」が「判定手段の判定結果に応じて」「表示」されることに相当する。
　また、引用発明の構成ｈにおいて、「保留図柄（通常保留図柄，特別保留図柄１〜３）の中から新たな保留記憶に対応して表示する保留図柄の種類を選択して表示させる」ことは、「特別保留図柄２及び特別保留図柄３」を選択して表示させることを含み、上記（ｆ）で説示したとおり、「特別保留図柄２及び特別保留図柄３」は本件補正発明の「特別態様」に相当するから、引用発明の構成ｈにおける「保留図柄（通常保留図柄，特別保留図柄１〜３）の中から新たな保留記憶に対応して表示する保留図柄の種類を選択し、該保留図柄を演出図柄表示装置６に表示する」ことは、本件補正発明の構成Ｈにおける「判定対象となった保留記憶に対応した保留表示を特別態様で表示する保留予告演出を実行」することに相当する。
　さらに、引用発明の構成ｈにおける「サブ統合制御装置８３」は、本件補正発明の構成Ｈにおける「演出実行手段」に相当する。
　してみると、引用発明の構成ｈは、本件補正発明の構成Ｈに相当する。
（ｉ）引用発明の構成ｉにおける「一時図柄の種類が変化することを示唆する段階演出」は、本件補正発明の構成Ｉの「保留表示の表示態様が変化するかを示唆する示唆演出」に相当するから、引用発明の構成ｉにおいて、該演出を行う保留表示更新処理を実行する「サブ統合制御装置８３」は、本件補正発明の構成Ｉの「示唆演出実行手段」に相当する。
　してみると、引用発明の構成ｉは、本件補正発明の構成Ｉに相当する。
（ｊ）引用発明の構成ｊにおける「変化演出が行われる」こと、「変化演出が行われない」ことは、それぞれ、本件補正発明の構成Ｊの「保留表示の表示態様を変化させる」こと、「保留表示の表示態様を変化させない」こと、に相当するから、引用発明の構成ｊにおける「変化演出が行われる際に」行われる「段階演出」、「変化演出が行われないいずれかの保留図柄に対して」行われる「擬似的な段階演出」は、それぞれ、本件補正発明の構成Ｊの「第１パターン」による「示唆演出」、「第２パターン」による「示唆演出」に相当する。
　してみると、引用発明の構成ｊは、本件補正発明の構成Ｊに相当する。
（ｋ）上記（ｉ）で説示したとおり、引用発明の構成ｉの「サブ統合制御装置８３」は、本件補正発明の「示唆演出実行手段」に相当する。そして、引用発明の構成ｋにおける「段階演出Ａ〜Ｄの四種類」は、本件補正発明の構成Ｋの「複数種類の演出態様」に相当し、上記（ｉ）で説示したとおり、引用発明の「段階演出」は、本件補正発明の「示唆演出」に相当することから、上記「サブ統合制御装置８３」は、「複数種類の演出態様で前記示唆演出を実行可能」であると認められる。
　してみると、引用発明の構成ｋは、本件補正発明の構成Ｋに相当する。
（ｌ）引用発明の構成ｌにおいて、保留図柄として特別保留図柄１が表示され、変化演出が行われない場合に、擬似的な段階演出が行われる確率（すなわち、演出パターン６、７の出現率の和に対する、演出パターン７の出現率の割合）は、（リーチの出現率×リーチ時の演出パターン７の出現率＋ＳＰリーチの出現率×ＳＰリーチ時の演出パターン７の出現率＋大当りの出現率×大当り時の演出パターン７の出現率）／（リーチの出現率×リーチ時の演出パターン６の出現率＋ＳＰリーチの出現率×ＳＰリーチ時の演出パターン６の出現率＋大当りの出現率×大当り時の演出パターン６の出現率＋リーチの出現率×リーチ時の演出パターン７の出現率＋ＳＰリーチの出現率×ＳＰリーチ時の演出パターン７の出現率＋大当りの出現率×大当り時の演出パターン７の出現率）＝（１５／３００×８／２００＋５／３００×４／２００＋１／３００×４／２００）／（１５／３００×１２／２００＋５／３００×８／２００＋１／３００×４／２００＋１５／３００×８／２００＋５／３００×４／２００＋１／３００×４／２００）＝１４４／３６８≒０．３９であり、
　保留図柄として特別保留図柄１以外の図柄、すなわち、通常保留図柄、特別保留図柄２または特別保留図柄３が表示され、変化演出が行われない場合に、擬似的な段階演出が行われる確率（すなわち、演出パターン１、１２、１３、１８、１９の出現率の和に対する演出パターン１３、１９の出現率の和の割合）は、（ＳＰリーチの出現率×ＳＰリーチ時の演出パターン１３の出現率＋大当りの出現率×大当り時の演出パターン１３の出現率＋大当りの出現率×大当り時の演出パターン１９の出現率）／（ハズレの出現率×ハズレ時の演出パターン１の出現率＋リーチの出現率×リーチ時の演出パターン１の出現率＋ＳＰリーチの出現率×ＳＰリーチ時の演出パターン１の出現率＋大当りの出現率×大当り時の演出パターン１の出現率＋ＳＰリーチの出現率×ＳＰリーチ時の演出パターン１２の出現率＋大当りの出現率×大当り時の演出パターン１２の出現率＋ＳＰリーチの出現率×ＳＰリーチ時の演出パターン１３の出現率＋大当りの出現率×大当り時の演出パターン１３の出現率＋大当りの出現率×大当り時の演出パターン１８の出現率＋大当りの出現率×大当り時の演出パターン１９の出現率）＝（５／３００×６／２００＋１／３００×１０／２００＋１／３００×４／２００）／（２７９／３００×１９０／２００＋１５／３００×１３０／２００＋５／３００×１２０／２００＋１／３００×１００／２００＋５／３００×１４／２００＋１／３００×１０／２００＋５／３００×６／２００＋１／３００×１０／２００＋１／３００×５／２００＋１／３００×４／２００）＝４４／５５７８９≒０．０００７９である。
　ここで、引用発明の構成ｌの「特別保留図柄１」、「擬似的な段階演出」が、それぞれ、本件補正発明の構成Ｌの「特殊態様」、「第２パターンによる示唆演出」に相当することは、上記（ｆ）、（ｊ）にて説示したとおりである。
　また、引用発明の構成ｌの「段階演出」は、引用発明の構成ｉのとおり「サブ統合制御装置８３」が実行するのであるから、引用発明の構成ｌは、本件補正発明の構成Ｌの「示唆演出を実行」する「示唆演出実行手段」を備えているといえる。
　そして、引用発明の構成ｌにおいて、「保留図柄として特別保留図柄１が表示され、変化演出が行われない場合に、擬似的な段階演出が行われる確率」が０．３９であるのに対して、「保留図柄として特別保留図柄１以外の図柄」「が表示され、変化演出が行われない場合に、擬似的な段階演出が行われる確率」は０．０００７９であることから、引用発明の構成ｌの「擬似的な段階演出」は、保留図柄として特別保留図柄１が表示されるときには、保留図柄として特別保留図柄１以外の図柄が表示されるときよりも高い確率で実行されるものであるといえ、引用発明のかかる構成ｌは、本件補正発明の構成Ｌの「保留表示が前記特殊態様で表示されているとき、保留表示が前記特殊態様で表示されていないときよりも高い頻度で前記第２パターンによる示唆演出を実行」することに相当する。
　してみると、引用発明の構成ｌは、本件補正発明の構成Ｌに相当する。
（ｍ）上記（ｊ）で説示したとおり、引用発明の構成ｊの「変化演出が行われる際に」行われる「段階演出」は、本件補正発明の構成Ｍの「第１パターン」に相当する。
　そして、引用発明の構成ｍにおいて、各段階演出で変化演出が行われる割合は、変化演出（「１段昇格」、「２段昇格」、「１段降格」及び「２段降格」）の出現率の和を、全ての演出（「１段昇格」、「２段昇格」、「維持」、「１段降格」及び「２段降格」）の出現率の和で除したものであることから、段階演出Ａで変化演出が行われる割合は、（１／１０＋１／１０＋５／１０＋１／１０）／（１／１０＋１／１０＋２／１０＋５／１０＋１／１０）＝０．８であり、段階演出Ｂで変化演出が行われる割合は、（２／１０＋１／１０＋２／１０＋７／１０）／（２／１０＋１／１０＋８／１０＋２／１０＋７／１０）＝０．６であり、段階演出Ｃで変化演出が行われる割合は、（３／１０＋２／１０）／（３／１０＋２／１０）＝１．０であり、段階演出Ｄで変化演出が行われる割合は、（７／１０＋８／１０）／（７／１０＋８／１０）＝１．０である。
　ここで、引用発明の構成ｍの「段階演出Ａ」及び「段階演出Ｂ乃至Ｄ」は、それぞれ本件補正発明の構成Ｍの「特定演出態様」及び「該特定演出態様でないとき」に相当し、引用発明の構成ｍの「段階演出Ａ」で変化演出が行われる割合（０．８）は、「段階演出Ｂ乃至Ｄ」で変化演出が行われる割合（０．６又は１．０）と異なることから、引用発明の構成ｍの「段階演出Ａ」及び「段階演出Ｂ乃至Ｄ」とで変化演出が行われる割合が異なることは、本件補正発明の構成Ｍの「前記第１パターンによる示唆演出の実行割合は、前記示唆演出の演出態様が特定演出態様であるときと、該特定演出態様でないときとで、異な」る構成に相当する。
　してみると、引用発明の構成ｍは、本件補正発明の構成Ｍに相当する。
（ｐ）引用発明における「パチンコ機５０」が、本件補正発明の「遊技機」に相当することは上記（ａ）にて説示のとおりである。
　してみると、引用発明の構成ｐは、本件補正発明の構成Ｐに相当する。
　上記（ａ）〜（ｐ）によれば、本件補正発明と引用発明は、
　「Ａ　可変表示を行い、遊技者にとって有利な有利状態に制御可能な遊技機であって、
Ｂ　可変表示に関する情報を保留記憶として記憶可能な保留記憶手段と、
Ｃ　保留記憶に対応した保留表示を表示する保留表示手段と、
Ｄ　前記有利状態に制御するかを決定する決定手段と、
Ｅ　前記決定手段の決定前に、前記有利状態となるかを判定する判定手段と、を備え、
Ｆ　保留表示の表示態様は、通常態様と、該通常態様と異なる態様である特殊態様と、前記通常態様および前記特殊態様と異なる態様である特別態様と、を含み、
Ｇ　前記特別態様は、第１特別態様と、該第１特別態様よりも前記有利状態に制御される期待度が高い第２特別態様と、を含み、
Ｈ　前記判定手段の判定結果に応じて、判定対象となった保留記憶に対応した保留表示を前記特別態様で表示する保留予告演出を実行可能な演出実行手段と、
Ｉ　保留表示の表示態様が変化するかを示唆する示唆演出を実行する示唆演出実行手段と、
　　を備え、
Ｊ　前記示唆演出の実行パターンとして、前記示唆演出を実行してから保留表示の表示態様を変化させる第１パターンと、前記示唆演出を実行してから保留表示の表示態様を変化させない第２パターンと、を含み、
Ｋ　前記示唆演出実行手段は、
　　複数種類の演出態様で前記示唆演出を実行可能であり、
Ｌ　保留表示が前記特殊態様で表示されているとき、保留表示が前記特殊態様で表示されていないときよりも高い頻度で前記第２パターンによる示唆演出を実行し、
Ｍ　前記第１パターンによる示唆演出の実行割合は、前記示唆演出の演出態様が特定演出態様であるときと、該特定演出態様でないときとで、異なる、
Ｐ　ことを特徴とする遊技機。」
の点で一致し、次の点で一応相違する。
　
［相違点］（構成Ｎ、Ｏ）
　本件補正発明は、「前記保留表示手段は、前記特殊態様の保留表示を表示しているとき、新たな保留表示を前記特殊態様で表示せず、前記第２特別態様の保留表示を表示しているとき、新たな保留表示を前記第２特別態様で表示しない」のに対して、引用発明は、「特別保留図柄１」（特殊態様）又は「特別保留図柄３」（第２特別態様）を表示しているときでも、新たな保留表示を「特別保留図柄１」又は「特別保留図柄３」で表示し得る点。
　
（４）当審判合議体の判断
　上記相違点について検討する。
　パチンコ遊技機の技術分野において、保留表示が先読み予告演出によって特殊な態様で表示された場合、当該保留表示が消化されるまでは新たな先読み演出を行わない（つまり、当該保留表示が消化されるまでは、新たな保留表示は特殊な態様で表示されない）ように構成することは、本願の出願前に周知の技術である（例えば、特開２０１２−２４１３０号公報の【００８０】、【０１１４】−【０１１９】、図７（ｂ）及び（ｃ）には、先読み対象となった保留アイコンが、白色、青色、黄色、緑色、赤色、虹色などの特殊な表示態様に変化するものであって、保留記憶が、大当りと先読み判定される種別情報のもの又はハズレと先読み判定される種別情報のものである場合、これより後の始動口入賞に基づく現在保留記憶されている保留記憶個数と同数の保留記憶について、先読み予告を禁止する点が開示されており、特開２０１３−２２２２０号公報の【０５５０】−【０５６４】、図３７には、先読み予告抽選に当選した場合、先読み予告演出対象となった作動保留球に係る保留アイコンの色が、黄色、緑色、赤色または虹色のいずれかの色（通常は青色）に変化するものであって、重複して先読み予告演出が発生してしまうことを禁止するために、先読み予告抽選により今回の作動保留球が先読み予告演出の実行対象とされた場合、今回の作動保留球が消化されるまでの間に、新たに生じた作動保留球が先読み演出の実行対象とされないようにする点が開示されている。以下「周知技術」という。）
　ここで、引用発明と上記周知技術とは、いずれもパチンコ遊技機の技術分野に関するものであって、先読みの判定結果に応じて保留表示の変化演出を行うことで共通する。
　そして、上記（２）（１−ｌ）の記載事項に示したとおり、引用発明は、「一つの保留記憶に対応して変化演出や段階演出が行われるという場合」について示唆していることから、引用発明に上記周知技術を適用し、引用発明の「特別保留図柄１乃至３」が保留表示として重複して表示されないように構成して、上記相違点に係る本件補正発明の構成とすることは、当業者が容易になし得たものである。
　また、本件補正発明により奏される効果は、引用発明及び上記周知技術に基づいて当業者が予測できる効果の範囲内のものである。
　よって、本件補正発明は、引用発明及び上記周知技術に基いて当業者が容易に発明をすることができたものである。
　
（５）請求人の主張について
　令和１年１１月２９日提出の審判請求書において、請求人は次の主張をする。
　「引用文献１には・・・補正後の本願発明における「前記特別態様は、第１特別態様と、該第１特別態様よりも前記有利状態に制御される期待度が高い第２特別態様と、を含み、・・・前記特殊態様の保留表示を表示しているとき、新たな保留表示を前記特殊態様で表示せず、前記第２特別態様の保留表示を表示しているとき、新たな保留表示を前記第２特別態様で表示しない」との構成について、開示も示唆もされていない。」
　
　そこで、請求人の上記主張について検討する。
　上記（３）［相違点］で説示したとおり、引用文献１には、「前記特殊態様の保留表示を表示しているとき、新たな保留表示を前記特殊態様で表示せず、前記第２特別態様の保留表示を表示しているとき、新たな保留表示を前記第２特別態様で表示しない」ことについての記載はないが、当該技術事項は、上記（４）において周知技術として示したように、本願の出願前に周知の技術事項であり、引用発明に上記周知技術を適用して、当該技術事項の構成を備えることは、当業者が容易になし得たものである。
　したがって、請求人の上記主張を採用することはできない。
　
（６）まとめ
　上記（１）〜（５）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
１　本願発明
　本件補正は、上記のとおり却下されることとなったので、本願の請求項１に係る発明（以下「本願発明」という。）は、令和１年７月１０日付け手続補正書により補正された、次のとおりのものと認める。
　「【請求項１】
　可変表示を行い、遊技者にとって有利な有利状態に制御可能な遊技機であって、
　可変表示に関する情報を保留記憶として記憶可能な保留記憶手段と、
　前記保留記憶に対応した保留表示を表示する保留表示手段と、
　前記有利状態に制御するかを決定する決定手段と、
　前記決定手段の決定前に、前記有利状態となるかを判定する判定手段と、を備え、
　前記保留表示の表示態様は、通常態様と、該通常態様とは異なる態様である特殊態様と、前記通常態様および前記特殊態様とは異なる態様である特別態様とを含み、
　前記判定手段の判定結果に応じて、判定対象となった前記保留記憶に対応した前記保留表示を前記特別態様で表示する保留予告演出を実行可能な演出実行手段と、
　前記保留表示の表示態様が変化するかを示唆する示唆演出を実行する示唆演出実行手段と、をさらに備え、
　前記示唆演出の実行パターンとして、前記示唆演出を実行してから前記保留表示の表示態様を変化させる第１パターンと、前記示唆演出を実行してから前記保留表示の表示態様を変化させない第２パターンとを含み、
　前記示唆演出実行手段は、
　複数種類の演出態様で前記示唆演出を実行可能であり、
　前記保留表示が前記特殊態様で表示されているときは、前記保留表示が前記特殊態様で表示されていないときよりも高い頻度で前記第２パターンによる示唆演出を実行し、
　前記第１パターンによる示唆演出の実行割合は、前記示唆演出の演出態様が特定演出態様であるときと、該特定演出態様でないときとで、異なる
　ことを特徴とする遊技機。」
　
２　原査定の概要
　原査定の拒絶の理由１及び２の概要は、以下のとおりのものである。
　
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由１（新規性）又は理由２（進歩性）について　
・請求項１
・引用文献等１
引用文献１：特開２０１３−１１６３１７号公報　
　
３　引用文献１について
　引用文献１の記載事項および引用発明の認定については、上記「第２［理由］２　２−２（２）」に説示したとおりである。
　
４　対比・判断
　本願発明は、上記「第２［理由］２　２−２（１）」で検討した本件補正発明から、実質的な変更とならない特定事項を除き、「前記特別態様は、第１特別態様と、該第１特別態様よりも前記有利状態に制御される期待度が高い第２特別態様と、を含」むという限定、及び、「前記保留表示手段は、前記特殊態様の保留表示を表示しているとき、新たな保留表示を前記特殊態様で表示せず、前記第２特別態様の保留表示を表示しているとき、新たな保留表示を前記第２特別態様で表示しない」との限定を削除したものである。
　そうすると、上記「第２［理由］２　２−２（３）」で説示したとおり、本願発明の構成要件を全て含む本件補正発明と引用発明とは、上記「前記保留表示手段は、前記特殊態様の保留表示を表示しているとき、新たな保留表示を前記特殊態様で表示せず、前記第２特別態様の保留表示を表示しているとき、新たな保留表示を前記第２特別態様で表示しない」点でのみ相違し、その余の点で一致することから、本願発明と引用発明とは全ての構成で一致する。
　したがって、本願発明は、引用発明と同一、或いは、引用発明に基づいて当業者が容易に発明できたものである。
　　
５　むすび
　以上のとおり、本願発明は、特許法第２９条第１項第３号に該当し、又は、特許法第２９条第２項の規定により、特許を受けることができない。
　したがって、本願は拒絶すべきである。
　よって、結論のとおり審決する。